(57)【要約】【課題】  本発明は、窓が取り付けられた室内側に取り付け用支持枠を固定し、かかる取り付け用支持枠にキャビネット本体を取り付けるように構成することで、採光用窓の大きさに影響されない取り付け構造となるミラーキャビネットを得るにある。【解決手段】  窓が取り付けられた室内側に固定される取り付け用支持枠と、この取り付け用支持枠に、該取り付け用支持枠の開口部を塞ぐように開閉可能に取り付けられる、ミラー扉が取り付けられたキャビネット本体とでミラーを構成している。【選択図】  図１
2005046343.tif 000002
【特許請求の範囲】
【請求項１】
窓が取り付けられた室内側に固定される取り付け用支持枠と、この取り付け用支持枠に、該取り付け用支持枠の開口部を塞ぐように開閉可能に取り付けられる、ミラー扉が取り付けられたキャビネット本体とからなることを特徴とするミラーキャビネット。
【請求項２】
窓が取り付けられた室内側に固定される取り付け用支持枠と、この取り付け用支持枠に、該取り付け用支持枠の開口部を塞ぐように蝶番を介して開閉可能に取り付けられる、ミラー扉が取り付けられた開き戸状のキャビネット本体とからなることを特徴とするミラーキャビネット。
【発明の詳細な説明】
【技術分野】
【０００１】
本発明は洗面室等に設置されるミラーキャビネットに関する。
【背景技術】
【０００２】
従来、近年の住宅事情等を考慮して洗面室の採光用窓部分を塞ぐとともに、当該部分が開閉可能となるようなミラーキャビネットが用いられている。
【０００３】
【特許文献１】特開２００１−７８９０８
【０００４】
従来のミラーキャビネットは、窓枠内に収納されるように取り付けられるため、取り付ける部位とミラーキャビネットとに寸法誤差等があると適切に設置できないという欠点があった。また、この場合、半ば強引に設置しても施工の見栄えが悪くなるとともに、施工箇所に隙間が生じて湿気やホコリ等がたまり、建材等を傷めてしまうという欠点があった。さらに、ミラーキャビネットは取り付ける採光用窓の寸法に合うように多様なサイズで設計されているが、前述した寸法誤差の問題は適切に解決できないという欠点があった。
【発明の開示】
【発明が解決しようとする課題】
【０００５】
本発明は以上のような従来の欠点に鑑み、窓が取り付けられた室内側に取り付け用支持枠を固定して、かかる取り付け用支持枠にミラー扉が取り付けられたキャビネット本体を取り付けるように構成することで、採光用窓の大きさに影響されない取り付け構造となるミラーキャビネットを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は、窓が取り付けられた室内側に固定される取り付け用支持枠と、この取り付け用支持枠に、該取り付け用支持枠の開口部を塞ぐように開閉可能に取り付けられる、ミラー扉が取り付けられたキャビネット本体とでミラーキャビネットを構成している。
【発明の効果】
【０００８】
以下の説明から明らかなように、本発明にあっては次に列挙する効果が得られる。
【０００９】
（１）窓が取り付けられた室内側に固定される取り付け用支持枠と、この取り付け用支持枠に、該取り付け用支持枠の開口部を塞ぐように開閉可能に取り付けられる、ミラー扉が取り付けられたキャビネット本体とで構成されているので、脱衣時等にはキャビネット本体を閉じた状態にでき、採光、換気等をする場合は、開けた状態にしておくことができる。したがって、狭い室内であっても効果的に空間を活用することができる。
【００１０】
（２）前記（１）によって、室内への設置は、取り付け用支持枠を取り付けてからキャビネット本体を取り付けることができるので、この場合、設置箇所の位置決めは、取り付け用支持枠だけで行うことができる。したがって、位置決め作業が重労働にならず、効率よくキャビネット本体を設置することができる。
【００１１】
（３）前記（１）によって、取り付け用支持枠上にキャビネット本体が固定されるので、取付け用支持枠を設置することができれば、窓の大小にかかわらず適宜キャビネット本体を設置することができる。
【００１２】
（４）前記（１）によって、取り付け用支持枠を設置することができるスペースがあれば、狭い室内であっても効果的に設置することができる。
【００１３】
（５）前記（１）によって、予め、取り付け用支持枠の所定位置にキャビネット本体を固定できるように形成しておくことによって、現場での設置時にキャビネット本体の取り付け位置の寸法等をとらなくても効率よく設置することができる。
【００１４】
（６）前記（１）によって、構造が簡易なので、容易に実施することができる。
【００１５】
（７）請求項２も前記（１）〜（４）と同様の効果が得られる。
【発明を実施するための最良の形態】
【００１６】
以下、図面に示す本発明を実施するための最良の形態により、本発明を詳細に説明する。
【００１７】
図１ないし図９に示す本発明を実施するための最良の第１の形態において、１は、洗面室等に設置される本発明のミラーキャビネットで、このミラーキャビネット１は、窓２が取り付けられた洗面室等の室内３側に固定される取り付け用支持枠４と、この取り付け用支持枠４に、該取り付け用支持枠４の開口部４ａを塞ぐように開閉可能に取り付けられる、ミラー扉５が取り付けられたキャビネット本体６とで構成されている。
【００１８】
前記取り付け用支持枠４は、図３に示すように、略長方形状となる断面略長方形状の木製の枠体で構成され、前記窓２が取り付けられた箇所の木枠３ａに複数個の皿ビス７によって固定される。なお、本形態では、木枠３ａを用いるものについて説明したが、本発明はこれに限らず、例えば、金属製のものを用いてもよい。
【００１９】
前記キャビネット本体６は、図４に示すように、洗面用具等を収納することができる収納ケース体８、８と、この収納ケース体８の開口部の一側部上下に取り付けられた回動金具９、９によって前後に開閉可能に取り付けられたミラー扉５と、前記収納ケース体８の一側部後端の上下方向に所定間隔離間されて取り付けられた、前記取り付け用支持枠４に複数のビス１０で固定された蝶番１１、１１と、前記収納ケース８の他側部寄りの略中央部に固定された開閉用の取っ手１２とで構成されている。なお、前記ミラー扉５の前方下部には、外ミラー扉５を開け閉めする際に要するつまみ１３が形成されている。
【００２０】
このキャビネット本体６は、前記取り付け用支持枠４に左右一対取り付けられ、中央部で観音開きできるように構成されている。
【００２１】
上記構成のミラーキャビネット１は、先ず、図５に示すような狭い洗面室の室内３に設置する場合は、取り付け用支持枠４を窓２が取り付けられた箇所の木枠３ａの所定位置に複数個の皿ビス７を用いて固定する。
【００２２】
次に、図６に示すように、取り付け用支持枠４上に、該取り付け用支持枠４の開口部４ａを塞ぐように、左右にキャビネット本体６、６をそれぞれ取り付ける。この場合、予め、取り付け用支持枠４の所定位置にキャビネット本体６、６を固定できるようにガイド孔等を形成しておくことによって、効率よく設置することができる。
【００２３】
また、図９に示すような狭い窓２Ａを取り付けた洗面室の室内３Ａに設置する場合は、取り付け用支持枠４を窓２Ａが取り付けられた箇所の躯体３ｂの所定位置に複数個の皿ビス７を用いて固定してから、左右にキャビネット本体６、６をそれぞれ取り付ける。
【００２４】
このようにして洗面室の室内３に窓２を塞ぐように取り付けられた本発明のミラーキャビネット１は、脱衣時等には、図７に示すように、左右のキャビネット本体６、６を閉じた状態にしてミラーとして用いることができ、採光、換気等をする場合は、図８に示すように、取っ手１２、１２を持って手前に引き、開けた状態にしておくことができる。
【００２５】
また、図７に示すように、左右のキャビネット本体６、６が閉じられた状態の場合は、ミラー扉５、５を開け閉めすることで、適宜、収納されている洗面用具等を取り出して使用することができる。
{発明を実施するための異なる形態}
【００２６】
次に、図１０ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２７】
図１０ないし図１２に示す本発明を実施するための第２の形態において、前記本発明を実施するための最良の第１の形態と主に異なる点は、大きい面積のミラー扉５Ａが取り付けられた収納ケース体８Ａを用いた一方のキャビネット本体６Ａと、小さい面積のミラー扉５Ｂが取り付けられた収納ケース８Ｂを用いた他方のキャビネット本体６Ｂとを、取り付け用支持枠４に固定するように構成した点で、このようなキャビネット本体６Ａ、６Ｂを構成したミラーキャビネット１Ａにしても前記本発明を実施するための最良の第１の形態と同様の作用効果が得られる。
【００２８】
図１３ないし図１５に示す本発明を実施するための第３の形態において、前記本発明を実施するための最良の第１の形態と主に異なる点は、取り付け用支持枠４に、該取り付け用支持枠４の開口部４ａを塞ぐ、一枚のミラー扉５Ｃが取り付けられた収納ケース体８Ｃを用いたキャビネット本体６Ｃを前後に開閉可能に固定するように構成した点で、このようなキャビネット本体６Ｃを構成したミラーキャビネット１Ｂにしても前記本発明を実施するための最良の第１の形態と同様の作用効果が得られる。
【００２９】
図１６ないし図１８に示す本発明を実施するための第４の形態において、前記本発明を実施するための最良の第３の形態と主に異なる点は、取り付け用支持枠４に、該取り付け用支持枠４の開口部４ａを塞ぐキャビネット本体６Ｃを上方に開閉可能に固定するように構成した点で、このようなキャビネット本体６Ｃの固定状態を構成したミラーキャビネット１Ｃにしてもよい。なお、この場合、キャビネット本体６Ｃの上端後方両側部には、回動に抵抗がある蝶番装置１４、１４が取り付けられ、両側部略中央には、当該キャビネット本体６Ｃを上方に開けた際に下方に不用意に閉まらないようにするための安全装置１５、１５がそれぞれ取り付けられている。
【００３０】
なお、本発明を実施するための各形態において、室内３への設置は、取り付け用支持枠４を木枠３ａ等に固定してから、キャビネット本体６を取り付けていくものについて説明したが、本発明はこれに限らず、取り付け用支持枠４にキャビネット本体６を予め取り付けた状態で、設置してもよい。
【００３１】
また、本発明を実施するための各形態において、キャビネット本体６、６Ａ、６Ｂ、６Ｃは、前後方向、上下方向に開閉されるものについて説明したが、本発明はこれに限らず、例えば、開けた状態では二つ折り状態になるように構成してもよい。
【産業上の利用可能性】
【００３２】
本発明はミラーキャビネットを製造する産業で利用される。
【図面の簡単な説明】
【００３３】
【図１】本発明を実施するための最良の第１の形態の正面図。
【図２】本発明を実施するための最良の第１の形態の側面図。
【図３】本発明を実施するための最良の第１の形態の取り付け用支持枠の説明図。
【図４】本発明を実施するための最良の第１の形態のキャビネット本体の説明図。
【図５】取り付け用支持枠の取り付け時の説明図。
【図６】キャビネット本体を取り付けた状態の説明図。
【図７】図６の７−７線に沿う断面図。
【図８】キャビネット本体を開けた状態の説明図。
【図９】狭い窓の室内に取り付けた状態の説明図。
【図１０】本発明を実施するための第２の形態の取り付け状態を示した一部破断正面図。
【図１１】図１０の１１−１１線に沿う断面図。
【図１２】キャビネット本体を開けた状態の説明図。
【図１３】本発明を実施するための第３の形態の取り付け状態を示した一部破断正面図。
【図１４】図１３の１４−１４線に沿う断面図。
【図１５】キャビネット本体を開けた状態の説明図。
【図１６】本発明を実施するための第４の形態の取り付け状態を示した一部破断正面図。
【図１７】本発明を実施するための第４の形態の取り付け状態を示した一部破断側面図。
【図１８】キャビネット本体を開けた状態の説明図。
【符号の説明】
【００３４】
１、１Ａ〜１Ｃ：ミラーキャビネット、  
２、２Ａ：窓、                  ３、３Ａ：室内、
４：取り付け用支持枠、          ５、５Ａ〜５Ｃ：ミラー扉、
６、６Ａ〜６Ｃ：キャビネット本体、
７：皿ビス、                    ８、８Ａ〜８Ｃ：収納ケース体、
９：回動金具、                  １０：複数のビス、
１１：蝶番、                    １２：取っ手、
１３：つまみ、                  １４：蝶番装置、
１５：安全装置。
【図１】
2005046343.tif 000003
【図２】
2005046343.tif 000004
【図３】
2005046343.tif 000005
【図４】
2005046343.tif 000006
【図５】
2005046343.tif 000007
【図６】
2005046343.tif 000008
【図７】
2005046343.tif 000009
【図８】
2005046343.tif 000010
【図９】
2005046343.tif 000011
【図１０】
2005046343.tif 000012
【図１１】
2005046343.tif 000013
【図１２】
2005046343.tif 000014
【図１３】
2005046343.tif 000015
【図１４】
2005046343.tif 000016
【図１５】
2005046343.tif 000017
【図１６】
2005046343.tif 000018
【図１７】
2005046343.tif 000019
【図１８】
2005046343.tif 000020